(57)【要約】【課題】グリップ力、フィット感、掌部の保護性、吸湿性、通気性、耐久性のすべてを兼ね備えたスポーツ用手袋を提供すること。【解決手段】単糸繊度が０．０２〜０．０８ｄｔｅｘ、総繊度が２０〜１００ｄｔｅｘの極細繊維マルチフィラメントを用いて製編した編地を、そのまま所定形状に裁断し、縫製してなるスポーツ用手袋。【選択図】図１
2008068012.tif 000002
【特許請求の範囲】
【請求項１】
単糸繊度が０．０２〜０．０８ｄｔｅｘの極細繊維マルチフィラメントを用いて製編した編地を、そのまま所定形状に裁断し、縫製してなることを特徴とするスポーツ用手袋。
【請求項２】
総繊度が２０〜１００ｄｔｅｘの極細繊維マルチフィラメントを用いたことを特徴とする請求項１記載のスポーツ用手袋。
【請求項３】
起毛加工を施した編地を用いたことを特徴とする請求項１又は２記載のスポーツ用手袋。
【発明の詳細な説明】
【技術分野】
【０００１】
本発明は、スポーツ用手袋に関し、特に、グリップ力、フィット感、掌部の保護性、吸湿性、通気性及び耐久性に優れたスポーツ用手袋に関するものである。
【背景技術】
【０００２】
従来、ゴルフや野球等のスポーツを行う際に使用されるスポーツ用手袋として、皮革製、人工皮革製、布製等の種々のものが提案され、実用化されている（例えば、特許文献１〜３参照）。
【０００３】
ところで、このようなスポーツ用手袋、例えば、ゴルフ用手袋に要求される機能として、（ａ）ゴルフクラブを確実にグリップできること、（ｂ）フィット感が良好でゴルフクラブの微妙なコントロールができること、（ｃ）スイング時に生じる摩擦から掌部を保護できること、（ｄ）長時間装着しても汗ばんだりしないこと、（ｅ）長期間使用しても破れ難い耐久性を有すること等がある。
このうち、例えば、（ａ）のグリップ力を良くするためには、ゴルフクラブを把持する掌部に高分子弾性体を配することにより解決が図られ、（ｂ）のフィット感を良くするためには、手袋の素材として厚みの薄い皮革を使用することにより解決が図られ、（ｃ）の掌部の保護性や（ｅ）の耐久性を高めるためには、手袋の素材として厚みの厚い素材を使用したり、ゴルフクラブを把持する掌部や耐久性が求められる部分に補強素材を重ねて配することにより解決が図られ、（ｄ）の長時間装着しても汗ばんだりしないようにするためには、手袋の素材として通気性のあるメッシュ素材を使用したり、通気のための小孔を形成することにより解決が図られ、実際にこのようなゴルフ用手袋が製造販売されている。
【０００４】
しかしながら、例えば、上記（ａ）のグリップ力を良くすることと、（ｂ）のフィット感を良くすることと、さらには、（ｃ）の掌部の保護性や（ｅ）の耐久性を高めることとは、互いに相反する要求であって、上記のゴルフ用手袋に要求される（ａ）〜（ｅ）のすべての機能を実使用可能な水準で兼ね備えたものは存在しなかった。
【特許文献１】特開平１１−１８８１２９号公報
【特許文献２】特開平１１−１８８１３０号公報
【特許文献３】特開２００２−７８８号公報
【発明の開示】
【発明が解決しようとする課題】
【０００５】
本発明は、上記従来のゴルフ用手袋等のスポーツ用手袋の有する問題点に鑑み、スポーツ用手袋に要請される、グリップ力、フィット感、掌部の保護性、吸湿性、通気性、耐久性のすべてを兼ね備えたスポーツ用手袋を提供することを目的とする。
【課題を解決するための手段】
【０００６】
上記目的を達成するため、本発明のスポーツ用手袋は、単糸繊度が０．０２〜０．０８ｄｔｅｘの極細繊維マルチフィラメントを用いて製編した編地を、そのまま所定形状に裁断し、縫製してなることを特徴とする。
ここで、「編地を、そのまま所定形状に裁断し、縫製してなる」とは、例えば、グリップ力を良くするためにスポーツ用手袋の掌部に高分子弾性体を配すること等をしないことを意味する。
【０００７】
この場合において、総繊度が２０〜１００ｄｔｅｘの極細繊維マルチフィラメントを用いることができる。
【０００８】
また、起毛加工を施した編地を用いることができる。
【発明の効果】
【０００９】
本発明のスポーツ用手袋によれば、単糸繊度が０．０２〜０．０８ｄｔｅｘの極細繊維マルチフィラメントを用いて製編した編地を、そのまま所定形状に裁断し、縫製することにより、スポーツ用手袋に要請される、グリップ力、フィット感、掌部の保護性、吸湿性、通気性、耐久性のすべてを兼ね備えたスポーツ用手袋を得ることができる。
【００１０】
また、総繊度が２０〜１００ｄｔｅｘの極細繊維マルチフィラメントを用いることにより、スポーツ用手袋に要請される、グリップ力、フィット感、掌部の保護性、吸湿性、通気性、耐久性を一層向上することができる。
【００１１】
また、起毛加工を施した編地を用いることにより、グリップ力を一層向上することができるとともに、バックスキンのような風合いを持たせデザイン性を向上することができる。
【発明を実施するための最良の形態】
【００１２】
以下、本発明のスポーツ用手袋の実施の形態を、図面に基づいて説明する。
【実施例１】
【００１３】
図１に、本発明のスポーツ用手袋の一実施例として、ゴルフ用手袋１を示す。
このゴルフ用手袋１は、極細繊維マルチフィラメントを用いて製編した編地を、従来のゴルフ用手袋において汎用されているグリップ力を良くするために手袋の掌部に高分子弾性体を配すること等の処理をすることなく、そのまま所定形状に裁断し、縫製してなるものである。
【００１４】
この場合において、編地を構成する極細繊維マルチフィラメントは、単糸繊度が０．０２〜０．０８ｄｔｅｘ、総繊度が２０〜１００ｄｔｅｘの極細繊維マルチフィラメントを用いるようにする。
ここで、単糸繊度が０．０２ｄｔｅｘ、総繊度が２０ｄｔｅｘ未満であると、掌部の保護性、耐久性が低下することとなり、単糸繊度が０．０８ｄｔｅｘ、総繊度が１００ｄｔｅｘを超えると、フィット感が低下する。
【００１５】
編地を構成する極細繊維マルチフィラメントには、分割型繊維又は海島型繊維で、ポリエステル、ポリアミド、ポリオレフィン、ポリエステルとポリアミド、ポリエステルとポリオレフィン、ポリアミドとポリオレフィン等からなるものを用いることができる。
【００１６】
編地の編組織としては、緯編機、丸編機等で製編される横編組織、トリコット機、ミラニーズ機、ラッセル機等で製編される縦編組織のいずれでもよい。
【００１７】
そして、極細繊維マルチフィラメントを用いて製編することにより、厚さが０．２〜２．０ｍｍ程度、好ましくは、０．５〜１．０ｍｍ程度の編地を製編する。
ここで、編地の厚さが０．２ｍｍ未満であると、掌部の保護性、耐久性が低下することとなり、２．０ｍｍを超えると、フィット感が低下する。
【００１８】
ここで、編地には、上記のとおり、従来のゴルフ用手袋において汎用されているグリップ力を良くするために手袋の掌部に高分子弾性体を配すること等の処理をすることはしないが、必要に応じて、起毛加工を施すことができる。
起毛加工を施した編地を用いることにより、グリップ力を一層向上することができるとともに、バックスキンのような風合いを持たせデザイン性を向上することができる。
この場合、起毛加工は、編地を拡布状で走行させ、その表面にサンドペーパーを取り付けたロールを圧接して荒らすことにより毛羽立てる方法（エメリー起毛加工法）や、微細な針が多数本植設された布を当て、その針で繊維を引っ掛けて毛羽立てる方法（針布起毛加工法）等を用いることができる。
【００１９】
なお、ゴルフ用手袋１には、従来のゴルフ用手袋と同様、手の甲部の手挿入部側から指先方向には切り込みを設け、さらに、この切り込みを跨ぐようにフラップ１１を設けるようにしている。フラップ１１の裏面には面ファスナーの片面が止着され、手の甲部の対応する面には面ファスナーのもう片面が止着されており、ゴルフ用手袋１に挿入した手の手首部を緊締できるようになっている。
【００２０】
このゴルフ用手袋１は、極細繊維マルチフィラメントを用いて製編した編地を、従来のゴルフ用手袋において汎用されているグリップ力を良くするために手袋の掌部に高分子弾性体を配すること等の処理をすることなく、そのまま所定形状に裁断し、縫製してなるものであるため、ゴルフ用手袋に要請される、グリップ力、フィット感、掌部の保護性、吸湿性、通気性、耐久性のすべてを兼ね備えたものとすることができる。
【００２１】
以上、本発明のスポーツ用手袋について、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明のスポーツ用手袋は、グリップ力、フィット感、掌部の保護性、吸湿性、通気性、耐久性のすべてを兼ね備えていることから、ゴルフ用手袋に好適に用いることができるほか、例えば、野球用手袋等のスポーツ用手袋の広く用いることができる。
【図面の簡単な説明】
【００２３】
【図１】本発明のスポーツ用手袋の一実施例を示し、（ａ）掌側から見た説明図、（ｂ）手の甲側から見た説明図である。
【符号の説明】
【００２４】
１    ゴルフ用手袋（スポーツ用手袋）
１１  フラップ
【図１】
2008068012.tif 000003